(57)【要約】【課題】被支持物を安定して自立させ、ディスプレイ性も良好にする。【解決手段】スタンド機構は、被支持物Ａが保持される台紙１０と、被支持物Ａを保持した台紙１０を自立させる一対の脚部１１とを備えている。一対の脚部１１は、左右方向に間隔をあけて上下方向にのびる一対の折り曲げ罫線ａを介して台紙１０の前面から突出し、折り曲げた時の反発復元力により左右から被支持物に当接するようになっている。また、脚部１１の下端縁には先端に向けて下がるテーパーが付いているので、台紙１０は少し後側に傾く。台紙１０を自立させる脚部１１が反発復元力により被支持物Ａに押し付けられ、脚部１１は被支持物Ａに支えられて安定した状態になる。また，ディスプレイ効果も優れたものになる。【選択図】図４
2019055824.tif 000002
【特許請求の範囲】
【請求項１】
被支持物が保持される台紙と、被支持物を保持した台紙を自立させる一対の脚部とを備えたスタンド機構であって、一対の脚部は、左右方向に間隔をあけて上下方向にのびる一対の折り曲げ罫線を介して台紙の前面から突出し、下端縁に先端に向けて下がるテーパーが付いており、折り曲げた時の反発復元力により左右から被支持物に当接しかつ台紙が後側に傾くようになっていることを特徴とするスタンド機構。
【請求項２】
請求項１に記載のスタンド機構において、脚部を台紙と別部材で構成したことを特徴とするスタンド機構。
【請求項３】
請求項１に記載のスタンド機構において、脚部を台紙の一部で構成したことを特徴とするスタンド機構。
【発明の詳細な説明】
【技術分野】
【０００１】
本発明は、化粧品、日用品、食品等の容器入り商品を店頭にて陳列販売する際に、良好なディスプレイ性を発揮させるため、これらを台紙の前面に保持させて自立可能としたスタンド機構に関するものである。
【背景技術】
【０００２】
従来より、この種のスタンド機構としては、化粧品、日用品、食品等の容器入り商品を被支持物として台紙の前面に保持させ、その台紙に設けた脚部片により自立させるようにしたものが知られている（例えば、特許文献１，２参照）。これらの文献に示されたタイプのものでは、台紙に商品を保持させるためにブリスターパックを利用しておらず、台紙の表面に被支持物を直に貼着して保持させるか、あるいは、台紙に貼着した熱収縮性フィルムにより被支持物を台紙の前面に保持させるようにしている。
【先行技術文献】
【特許文献】
【０００３】
【特許文献１】特開２０１２−２０７６２公報
【特許文献２】特開２０１２−２５４８３号公報
【発明の概要】
【発明が解決しようとする課題】
【０００４】
上記した従来のスタンド機構のうち特許文献１に記載のものは、被支持物を保持する脚部片が台紙本体の前面から下向きに傾斜して前方に延びており、脚部片は折り曲げ罫線の反発復元力により戻ろうとし、そのために部片は被支持物に支えられるが、折り曲げ罫線が左右（水平）に伸びているので、台紙が前に倒れようとする力に弱く、脚部片が安定しないという問題がある。また、特許文献２に記載のものは、一対の脚部片が台紙の下部で被支持物を左右から挟むようにそれぞれ折り曲げ罫線のところから前方に向かって延びているので、脚部片が被支持物に接合されていないと、折り曲げ罫線の反発復元力により戻ろうとする力により脚部片が安定しないという問題がある。
【０００５】
本発明は、上記のような問題点に鑑みてなされたものであり、その目的とするところは、脚部片が安定することにより自立性に優れたスタンド機構を提供することにある。
【課題を解決するための手段】
【０００６】
上記の目的を達成するため、本発明のスタンド機構は、被支持物が保持される台紙と、被支持物を保持した台紙を自立させる一対の脚部とを備えたスタンド機構であって、一対の脚部は、左右に間隔をあけて上下方向にのびる一対の折り曲げ罫線を介して台紙の前面から突出し、下端縁に先端に向けて下がるテーパーが付いており、折り曲げた時の反発復元力により左右から被支持物に当接しかつ台紙が後側に傾くようになっていることを特徴とする。
【０００７】
そして、上記のスタンド機構において、脚部を台紙と別部材で構成してもよいし、あるいは、脚部を台紙の一部で構成してもよい。
【発明の効果】
【０００８】
本発明のスタンド機構は、台紙を自立させる脚部が反発復元力により被支持物に押し付けられることから、脚部は被支持物に支えられて安定した状態になり、ディスプレイ効果に優れることはもちろん、自立性に優れたものとなる。また、折り曲げた脚部の間に被支持物を挟持させるだけでよいので、組立て操作が簡単である。
【図面の簡単な説明】
【０００９】
【図１】本発明の第１実施形態であるスタンド機構を示す外観図である。
【図２】図１に示すスタンド機構を構成する台紙と脚部形成材を離間状態で示す正面図である。
【図３】図２の台紙と脚部形成材を取り付けた状態で示す裏面図である。
【図４】図１のスタンド機構の変形例を示す外観図である。
【図５】本発明の第２実施形態であるスタンド機構を示す外観図である。
【図６】図５に示すスタンド機構を構成する台紙を示す正面図である。
【図７】図６に示す台紙をその組立て途中の状態で示す正面図である。
【図８】本発明の第３実施形態であるスタンド機構を示す外観図である。
【図９】図８に示すスタンド機構を構成する台紙を示す正面図である。
【図１０】図８のスタンド機構の変形例を示す外観図である。
【図１１】図１０のスタンド機構を構成する台紙を示す正面図である。
【図１２】図８のスタンド機構の変形例を示す外観図である。
【図１３】図１２のスタンド機構を構成する台紙を示す正面図である。
【図１４】本発明の第４実施形態であるスタンド機構を示す外観図である。
【図１５】図１４に示すスタンド機構を構成する台紙を示す正面図である。
【図１６】本発明の第５実施形態であるスタンド機構を示す外観図である。
【図１７】図１６のスタンド機構を背面側から見た状態で示す外観図である。
【図１８】図１６に示すスタンド機構を構成する台紙を示す正面図である。
【図１９】図１８に示す台紙をその組立て途中の状態で示す背面図である。
【図２０】本発明の第６実施形態であるスタンド機構を示す外観図である。
【図２１】図２０に示すスタンド機構を構成する台紙を示す正面図である。
【図２２】図２１に示す台紙をその組立て途中の状態で示す背面図である。
【図２３】本発明の第７実施形態であるスタンド機構を示す外観図である。
【図２４】図２３のスタンド機構を背面側から見た状態で示す外観図である。
【図２５】図２３に示すスタンド機構を構成する台紙を示す正面図である。
【発明を実施するための形態】
【００１０】
次に、本発明の実施形態について図面を参照しながら詳細に説明する。
【００１１】
〔第１実施形態〕
図１は本発明の第１実施形態であるスタンド機構を自立状態で示すものである。このスタンド機構は、前面に被支持物Ａが保持される台紙１０と、被支持物Ａを保持した台紙１０を自立させる一対の脚部１１とを備えている。また、台紙１０には上部中央に吊り下げ孔１２が設けられており、この吊り下げ孔１２は、吊り下げて陳列する際にハンガー等が通る貫通孔である。図示の被支持物Ａは、キャップ付きの筒状容器であり、その内容物は、化粧品、日用品、食品等であるが、本発明において被支持物としての容器の種類、形状、内容物などは特に限定されるものではない。
【００１２】
図１のスタンド機構は、図２にその平面図を示す台紙１０と一枚の脚部形成材１３の２ピースで組み立てられている。これらの部材を構成するシートとしては、板紙、プラスチックシート、合成紙等を用いることができ、コスト面や加工のしやすさ、廃棄性などの面から通常は板紙が用いられることが多い。
【００１３】
台紙１０は、図２に示すように、平面形状が縦長の矩形状をしており、下部中央にコの字状の切り欠き部１４が形成されている。そして、前面に被支持物Ａを保持するため、前面中央に粘着剤あるいは両面テープなどからなる縦長の貼着部１５が設けられている。
【００１４】
脚部形成材１３は、図３に示す如く台紙１０の背面側に取り付けられるもので、台紙１０の切り欠き部１４と同じ幅の固定部分１６により切り欠き部１４の上側に接着されるようになっており、その固定部分１６の左右に位置する折り曲げ罫線ａとそれらの下端同士を繋ぐＴ字型の切断線αとにより、固定部分１６の両側に上下方向の折り曲げ罫線ａを介してそれぞれ脚部１１を連設した形状をしている。そして、左右の脚部１１は、被支持物Ａを保持した台紙１０を斜め後に傾けて自立させるため、図示のように、それらの下辺が下側に向けて尖るようにテーパーの付いた形となり、しかも下辺のそれぞれが切り欠き部１４の下端コーナー部分に重なるように設計されている。
【００１５】
図１のスタンド機構を組み立てる手順は次のようである。まず、台紙１０に脚部形成材１３を取り付けたもの（図３）と被支持物Ａとを準備する。次いで、左右の脚部１１を折り曲げ罫線ａのところで背面側に折り曲げて前面側でコの字に開き、被支持物Ａの下部を左右の脚部１１の間に位置させつつ、被支持物Ａを貼着部１５により台紙１０の前面に取り付ける。すると、左右の脚部１１はそれらの内面がそれぞれ被支持物Ａの側部に当たり、戻りが防止されて被支持物Ａに支えられた状態になる。
【００１６】
なお、被支持物Ａを台紙１０に取り付けた後、台紙１０において脚部形成材１３のある部分を後ろに反らせ、被支持物Ａにぶつからないようにしながら脚部１１を折り曲げて開くようにしてもよい。その後で台紙１０の反りを戻せば、脚部１１は被支持物Ａを乗り越えて外側から被支持物Ａに当たって支えられた状態になる。
【００１７】
このように組み立てたスタンド機構は、台紙１０の下端縁が静置面に接する部分となり、台紙１０を支える一対の脚部１１は台紙１０の前後に突出してその下端縁が静置面に接する部分となる。そして、各脚部１０はそれぞれ被支持物Ａに当たって支えられた状態となり、ぐらつくことなく安定する。このスタンド機構を静置面の上で自立させると、脚部１１の下端縁にそれぞれテーパーが付いているので、少し後側に傾いた状態で安定して自立し、ディスプレイ性も良好となる。
【００１８】
−第１実施形態の変形例−
図１のスタンド機構に関する変形例を図４により説明する。なお、図１と同じ構成部位には同じ符号を付してその説明を省略する。
【００１９】
図４のスタンド機構は、図１に示すスタンド機構において、各脚部１１における上端角部をＬ字状に切断してカット部１７を形成したものである。このスタンド機構に被支持物Ａを保持させると、カット部１７の縦線部と被支持物Ａが当接して脚部１１を支えるとともに、横線部が被支持物Ａの底部を支えることができる。このようにカット部１７を形成することにより、被支持物Ａと脚部１１との係合がより確実なものとなる。
【００２０】
〔第２実施形態〕
図５は本発明の第２実施形態であるスタンド機構を自立状態で示すものである。このスタンド機構は、前面に被支持物Ａが保持される台紙２０と、被支持物Ａを保持した台紙２０を自立させる一対の脚部２１とを備えており、台紙２０の上部左寄りのところに吊り下げ孔２２が設けられている。被支持物Ａについては、先の第１実施形態にて説明したものと同様である。
【００２１】
図５のスタンド機構は、図６にその平面図を示す１枚の台紙２０で組み立てられている。この台紙２０を構成するシートとしては、先の第１実施形態にて説明したものと同様に、板紙、プラスチックシート、合成紙等が用いられる。
【００２２】
台紙２０は、図６に示すように、縦長の矩形状をした主要部分の左側下部に台形状の脚部形成部分２３が突き出た形状をしている。また、台紙２０の中央下部から下端縁にかけて縦方向の折り曲げ罫線ａが形成され、さらにその折り曲げ罫線ａの上端から台紙２０の下端縁の左寄りにかけて斜めに延びる切断線αが形成されており、これらの折り曲げ罫線ａと切断線αとにより三角状の脚部２１が区画されている。そして、前面に被支持物Ａを保持するため、前面の左寄りに粘着剤あるいは両面テープなどからなる縦長の貼着部２４が設けられている。
【００２３】
脚部形成部分２３は、細幅で矩形状の折り返し部分２５を間に挟んで三角状の脚部２１を連設した形状をしており、折り返し部分２５は折り曲げ罫線ｂを介して台紙２０の主要部分に連設されており、脚部２１は折り曲げ罫線ｃを介して折返し部分２５に連設されている。そして、左右の脚部２１は、被支持物Ａを保持した台紙２０を斜め後に傾けて自立させるため、図示のように、それらの下辺が先端に向けて下がるようにテーパーの付いた形になっている。
【００２４】
図５のスタンド機構を組み立てる手順は次のようである。まず、図６の台紙２０を準備し、主要部分に対して脚部形成部分２３を折り曲げ罫線ｂで前側に折り返し、折り返し部分２５のところを貼着して図７に示す状態にする。次に、右側の脚部２１を折り曲げ罫線ａで、左側の脚部２１を折り曲げ罫線ｃで、それぞれ折り曲げて観音開き状態にし、被支持物Ａの下部を左右の脚部２１の間に位置させつつ、被支持物Ａを貼着部２４により台紙２０の前面に取り付ける。すると、左右の脚部２１はそれらの内面がそれぞれ被支持物Ａの側部に当たり、戻りが防止されて被支持物Ａに支えられた状態になる。
【００２５】
なお、被支持物Ａを台紙２０に取り付けた後、台紙２０において脚部２１のある部分を後ろに反らせ、被支持物Ａにぶつからないようにしながら脚部２１を折り曲げて開くようにしてもよい。その後で台紙２０の反りを戻せば、脚部２１は被支持物Ａを乗り越えて外側から被支持物Ａに当たって支えられた状態になる。
【００２６】
このように組み立てたスタンド機構は、台紙２０の下端縁が静置面に接する部分となり、台紙２０を支える一対の脚部２１は台紙２０の前後に突出してその下端縁が静置面に接する部分となる。そして、各脚部２１はそれぞれ被支持物Ａに当たって支えられた状態となり、ぐらつくことなく安定する。このスタンド機構を静置面の上で自立させると、脚部２１の下端縁にそれぞれテーパーが付いているので、少し後側に傾いた状態で安定して自立し、ディスプレイ性も良好となる。また、脚部２１が被支持物Ａを外側から囲むように大きくとれるので、脚部がより安定して自立することになる。
【００２７】
〔第３実施形態〕
図８は本発明の第３実施形態であるスタンド機構を自立状態で示すものである。このスタンド機構は、前面に被支持物Ａが保持される台紙３０と、被支持物Ａを保持した台紙３０を自立させる一対の脚部３１とを備えており、台紙３０の上部中央には吊り下げ孔３２が設けられている。被支持物Ａについては、先の第１実施形態にて説明したものと同様である。
【００２８】
図８のスタンド機構は、図９にその平面図を示す１枚の台紙３０で組み立てられている。この台紙３０を構成するシートとしては、先の第１実施形態にて説明したものと同様に、板紙、プラスチックシート、合成紙等が用いられる。
【００２９】
台紙３０は、図９に示すように、平面形状が縦長の矩形状をしており、下部中央に設けられたＹ字型の切断線αと、その上端２箇所からそれぞれ下端縁に向けて設けられた上下方向の折り曲げ罫線ａとにより、観音開きが可能な脚部３１が区画された形状をしている。そして、左右の脚部３１は、被支持物Ａを保持した台紙３０を斜め後に傾けて自立させるため、図示のように、それらの下辺が先端に向けて下がるようにテーパーの付いた形になっている。また、台紙３０の前面に被支持物Ａを保持するため、前面中央に粘着剤あるいは両面テープなどからなる縦長の貼着部３３が設けられている。
【００３０】
図８のスタンド機構を組み立てる手順は次のようである。まず、台紙３０における左右の脚部３１を折り曲げ罫線ａのところでそれぞれ折り曲げて観音開き状態にし、被支持物Ａの下部を左右の脚部３１の間に位置させつつ、被支持物Ａを貼着部３３により台紙３０の前面に取り付ける。すると、左右の脚部３１はそれらの内面がそれぞれ被支持物Ａの側部に当たり、戻りが防止されて被支持物Ａに支えられた状態になる。
【００３１】
なお、被支持物Ａを台紙３０に取り付けた後、台紙３０において脚部３１のある部分を後ろに反らせ、被支持物Ａにぶつからないようにしながら脚部３１を折り曲げて開くようにしてもよい。その後で台紙３０の反りを戻せば、脚部３１は被支持物Ａを乗り越えて外側から被支持物Ａに当たって支えられた状態になる。
【００３２】
このように組み立てたスタンド機構は、台紙３０の下端縁が静置面に接する部分となり、台紙３０を支える一対の脚部３１は台紙３０の前側に突出してその下端縁が静置面に接する部分となる。そして、各脚部３１はそれぞれ被支持物Ａに当たって支えられた状態となり、ぐらつくことなく安定する。このスタンド機構を静置面の上で自立させると、脚部３１の下端縁にそれぞれテーパーが付いているので、少し後側に傾いた状態で安定して自立し、ディスプレイ性も良好となる。このスタンド機構では、台紙３０に折り曲げ罫線ａと切断線αを入れて脚部３１を区画するだけなので、脚部３１が作りやすいという利点がある。
【００３３】
−第３実施形態の変形例−
図８のスタンド機構に関する２つの変形例を図１０，１１と図１２，１３により説明する。なお、図８，９と同じ構１部位には同じ符号を付してその説明を省略する。
【００３４】
図１０のスタンド機構は、図８に示すスタンド機構において、図１１に示すように、脚部３１の折り曲げ罫線ａをハの字状に開くように少し斜めにしたものである。このスタンド機構では、図８のスタンド機構に比べて脚部３１の底辺が大きく取れるので、接地部分を大きくして安定度を増すことができる。
【００３５】
図１２のスタンド機構は、図８の示すスタンド機構において、図１３に示すように、脚部３１の折り曲げ罫線ａの途中から外側にくの字型の切断線βを入れて脚部３１の底辺を延長したものである。このスタンド機構では、図８のスタンド機構に比べて脚部３１の底辺が大きく取れるので、接地部分を大きくして安定度を増すことができるとともに、後側への傾きに対する抵抗力が大きくなる。
【００３６】
〔第４実施形態〕
図１４は本発明の第４実施形態であるスタンド機構を自立状態で示すものである。このスタンド機構は、前面に被支持物Ａが保持される台紙４０と、被支持物Ａを保持した台紙４０を自立させる一対の脚部４１とを備えており、台紙４０の上部中央には吊り下げ孔４２が設けられている。被支持物Ａについては、先の第１実施形態にて説明したものと同様である。
【００３７】
図１４のスタンド機構は、図１５にその平面図を示す１枚の台紙４０で組み立てられている。この台紙４０を構成するシートとしては、先の第１実施形態にて説明したものと同様に、板紙、プラスチックシート、合成紙等が用いられる。
【００３８】
台紙４０は、図１５に示すように、縦長の矩形状をした主要部分の下側に台形状の脚部形成部４３が突き出ており、この脚部形成部４３は、被支持物Ａとほぼ同じ幅で設けられた左右の折り曲げ罫線ａと、それらの折り曲げ罫線ａの先端からそれぞれ内側に向かってさらに下方に延びる鉤フック状の切断線αにより、下向きの凸型部分４４の両側に折り曲げ罫線ａを介してコの字開きが可能な脚部４１が連設した形状をしている。
【００３９】
そして、左右の脚部４１は、被支持物Ａを保持した台紙４０を斜め後に傾けて自立させるため、図示のように、それらの下辺が先端に向けて下がるようにテーパーの付いた形になっている。また、台紙４０の主要部分から脚部形成部４３の凸型部分４４にかけて被支持物Ａを保持するため、前面中央に粘着剤あるいは両面テープなどからなる縦長の貼着部４５が設けられている。
【００４０】
図１４のスタンド機構を組み立てる手順は次のようである。まず、台紙４０の脚部形成部４３における左右の脚部４１を折り曲げ罫線ａのところでそれぞれ折り曲げて前側側でコの字状に開き、被支持物Ａの下部を左右の脚部４１の間に位置させつつ、被支持物Ａを貼着部４５により台紙４０の前面に取り付ける。すると、左右の脚部４１はそれらの内面がそれぞれ被支持物Ａの側部に当たり、戻りが防止されて被支持物Ａに支えられた状態になる。
【００４１】
なお、被支持物Ａを台紙４０に取り付けた後、台紙４０において脚部４１のある部分を後ろに反らせ、被支持物Ａにぶつからないようにしながら脚部４１を折り曲げて開くようにしてもよい。その後で台紙４０の反りを戻せば、脚部４１は被支持物Ａを乗り越えて外側から被支持物Ａに当たって支えられた状態になる。
【００４２】
このように組み立てたスタンド機構は、一対の脚部４１が台紙４０の前後に突出してその下端縁が静置面に接する部分となる。そして、各脚部４１はそれぞれ被支持物Ａに当たって支えられた状態となり、ぐらつくことなく安定する。このスタンド機構を静置面の上で自立させると、脚部４１の下端縁にそれぞれテーパーが付いているので、少し後側に傾いた状態で安定して自立し、ディスプレイ性も良好となる。このスタンド機構では、１ピースでありながら、前後に突き出る大きな脚部４１が作りやすいという利点がある。
【００４３】
〔第５実施形態〕
図１６は本発明の第５実施形態であるスタンド機構を自立状態で示すものであり、図１７はそれを背面側から見た状態で示す外観図である。このスタンド機構は、前面に被支持物Ａが保持される台紙５０と、被支持物Ａを保持した台紙５０を自立させる一対の脚部５１とを備えており、台紙５０の上部中央には吊り下げ孔５２が設けられている。被支持物Ａについては、先の第１実施形態にて説明したものと同様である。
【００４４】
図１６，１７のスタンド機構は、図１８にその平面図を示す１枚の台紙５０で組み立てられている。この台紙５０を構成するシートとしては、先の第１実施形態にて説明したものと同様に、板紙、プラスチックシート、合成紙等が用いられる。
【００４５】
台紙５０は、図１８に示すように、縦長の矩形状をした主要部分の下辺中央に折り曲げ罫線ａを介して脚部形成部５３を連設した形状をしている。この脚部形成部５３は、つづみ型をした折り返し部分５４の左右に概略三角状の脚部５１を有している。具体的には、つづみ型の左右の中凹みのところがＵ字状の切断線αになっており、その切断線αの上下に位置する縦方向の折り曲げ罫線ｂを介して、内側に凸部領域５１ａを有する脚部５１が連設している。また、台紙５０には、その主要部分の下辺にある折り曲げ罫線ａを中心として、Ｕ字状の切断線αで囲まれる凸部領域５１ａと線対称の位置にそれより僅かに大きなサイズで一対の開口５０ａが形成されている。そして、前面に被支持物Ａを保持するため、前面中央に粘着剤あるいは両面テープなどからなる縦長の貼着部５５が設けられている。
【００４６】
図１６，１７のスタンド機構を組み立てる手順は次のようである。まず、図１８の台紙５０を準備し、主要部分に対して脚部形成部５３を折り曲げ罫線ａで後側に折り返し、折返し部分５４のところを貼着して図１９に示す状態にする。次に、左右の脚部５１を折り曲げ罫線ｂでそれぞれ折り曲げると、切断線αによる凸部領域５１ａが前面側に突出する。このように脚部５１を前面側でコの字開き状態にし、被支持物Ａの下部を左右の脚部５１の間に位置させつつ、被支持物Ａを貼着部５５により台紙５１の前面に取り付ける。すると、左右の脚部５１は、台紙５０の前側に突き出た部分の内面がそれぞれ被支持物Ａの側部に当たり、戻りが防止されて被支持物Ａに支えられた状態になる。
【００４７】
なお、被支持物Ａを台紙５０に取り付けた後、台紙５０において脚部形成部５３のある部分を後ろに反らせ、被支持物Ａにぶつからないようにしながら脚部５１を折り曲げて開くようにしてもよい。その後で台紙５０の反りを戻せば、脚部５１は被支持物Ａを乗り越えて外側から被支持物Ａに当たって支えられた状態になる。
【００４８】
このように組み立てたスタンド機構は、台紙５０の主要部分の下端縁が静置面に接する部分となり、一対の脚部５１は台紙５０の背面側に突出した部分が静置面に当接することになる。そして、各脚部５１はその前面側に突き出た脚部５１の凸部領域５１ａがそれぞれ被支持物Ａに当たって支えられた状態となり、ぐらつくことなく安定する。このスタンド機構を静置面の上で自立させると、脚部５１は背面側で突き出た部分が三角状になっているので、その先端が静置面に当接し、少し後側に傾いた状態で安定して自立し、ディスプレイ性も良好となる。
【００４９】
〔第６実施形態〕
図２０は本発明の第６実施形態であるスタンド機構を自立状態で示すものである。このスタンド機構は、被支持物Ｂが窓６０ａから前面に突き出た状態で保持される封筒状の台紙６０と、被支持物Ｂを保持した台紙６０を自立させる一対の脚部６１とを備えており、台紙６０の上部中央には吊り下げ孔６２が設けられている。被支持物Ｂは、キャップ付きのプラスチックボトル容器であり、その内容物は、化粧品、日用品、食品等であるが、被支持物としての容器の種類、形状、内容物などは特に限定されるものではない。
【００５０】
図２０のスタンド機構は、図２１に示す如く内側から窓６０ａを覆うように矩形状のフィルム６３を貼り付けた１枚の台紙６０で組み立てられている。この台紙６０を構成するシートとしては、先の第１実施形態にて説明したものと同様に、板紙、プラスチックシート、合成紙等が用いられる。また、フィルム６３の素材は、特に限定されるものではなく、一般的なプラスチックフィルムから適宜選択すればよい。フィルム６３の弾力性、伸縮性が大きければ、より被支持物Ｂに密着支持するので好ましい。
【００５１】
台紙６０は、平面形状が縦長の矩形状をした前面パネル６４の下辺に略同じ形の背面パネル６５が連設し、前面パネル６４の左右にそれぞれ糊付け片６６が連設し、前面パネル６４の上辺に差し込み片６７が連設した展開形状をしている。なお、前面パネル６４の上部と差し込み片６７には、組み立て時に重なる吊り下げ孔６２が設けられている。
【００５２】
窓６０ａは前面パネル６４に設けられており、この窓６０ａは、被支持物Ｂを正面から見た形状より僅かに大きなサイズで、被支持物Ｂの底部左右に斜め方向に掛かるように下部がＶ字状となった概略ボトル形状をしている。そして、その窓６０ａのＶ字の下端から前面パネル６４の下辺に向かう切断線αと、Ｖ字の上端付近の２箇所からそれぞれ前面パネル６４の下辺に向かう折り曲げ罫線ａと、それらの折り曲げ罫線ａの下端同士を繋いで前面パネル６４の下辺に設けられた切断線βとにより、観音開きが可能な脚部６１が区画されている。また、フィルム６３は、窓６０ａの周辺部分と脚部６１のところが自由となるように、図２１に示す如く、左右の糊付け片６６に沿った帯状の接着部６６ａと、前面パネル６４の上部中央一箇所の接着部６４ａと下部左右二箇所の接着部６４ｂとで台紙６１の内面に貼り付けられている。なお、帯状の接着部ａは、前面パネル６４と糊付け片６６をつなぐ罫線から外側（前面パネル６４側）に隙間を残して設けるとよい。このように隙間があると、この部分のフィルム６３がゆるみ、被支持物Ｂを覆いやすくなる。
【００５３】
図２０のスタンド機構を組み立てる手順は次のようである。まず、台紙６０を封筒状にする。すなわち、左右の糊付け片６６を前面パネル６４の後側に折り返してから、背面パネル６５を折り返して糊付け片６６の表側に貼り合わせることで、台紙６０の中にフィルム６３を収納した状態にする。次いで、図２２に示すように、封筒状とした台紙６０の上部を開いてそこから被支持物Ｂを挿入する。すると、フィルム６３はその周囲では接着しておらず、被支持物Ｂにより内側から押されると伸びることができるので、被支持物Ｂは窓６０ａの部分でフィルム６３を押すようにして窓６０ａから前面に突き出た状態となりフィルム６３により保持される。これと同時に、被支持物Ｂの下部が脚部６１を押すことによって台紙６０の下部で脚部６１が開いて起き上がり、被支持物Ｂはフィルム６３により支持され、左右の脚部６１はそれらの内面がそれぞれ被支持物Ｂの側部に当たり、戻りが防止されて被支持物Ｂに支えられた状態になる。最後に差し込み片６７を折り返して前面パネル６４と背面パネル６５の間に差し込んで封をする。
【００５４】
このように組み立てたスタンド機構は、台紙６０の折り曲げた下端縁が静置面に接する部分となり、台紙６０を支える一対の脚部６１は台紙６０の前側に突出してその下端縁が静置面に接する部分となる。そして、各脚部６１はそれぞれ被支持物Ｂに当たって支えられた状態となり、ぐらつくことなく安定する。このスタンド機構では、封筒状の台紙６０であっても優れた自立性を持たせることができる。また、被支持物Ｂを挿入するだけで自立状態にできるので、組み立てる際の作業性に優れている。
【００５５】
〔第７実施形態〕
図２３は本発明の第７実施形態であるスタンド機構を自立状態で示すものであり、図２４はそれを背面側から見た状態で示す外観図である。このスタンド機構は、被支持物Ｃが窓から前面に突き出た状態で保持される箱状の台紙７０と、被支持物Ｃを保持した台紙７０を自立させる一対の脚部７１とを備えており、台紙７０の上部中央には吊り下げ孔７２が設けられている。被支持物Ｃは、キャップ付きのスチールボトル容器であり、その内容物は、化粧品、日用品、食品等であるが、被支持物としての容器の種類、形状、内容物などは特に限定されるものではない。
【００５６】
図２３のスタンド機構は、図２５にその展開図を示す１枚の台紙７０で組み立てられている。この台紙７０を構成するシートとしては、先の第１実施形態にて説明したものと同様に、板紙、プラスチックシート、合成紙等が用いられる。
【００５７】
台紙７０は、平面形状が縦長の矩形状をした前面パネル７３とそれより少し背の低い背面パネル７４が側面パネル７５を介して連設され、背面パネル７４の反対側に側面パネル７６を介して糊付け片７７が連設されている。前面パネル７３の下辺には下蓋パネル７８を介して差し込みフラップ７９が連設され、背面パネル７４の上辺には上蓋パネル８０を介して差し込みフラップ８１が連設され、背面パネル７４の下辺には、カバーパネル８２が連設されており、カバーパネル８２の先端中央には差し込み片８３が突設され、前面パネル７３の下辺中央にはその差し込み片８３を係止するためのスリットｓが形成されている。また、側面パネル７５の上下には折り込みフラップ８４，８５がそれぞれ連設され、側面パネル７６の上下には折り込みフラップ８６，８７がそれぞれ連設されている。前面パネル７３は背面パネル７４より背の高い分だけ上方に突き出ており、その突き出た領域に吊り下げ孔７２が形成されている。
【００５８】
前面パネル７３には縦長の大きな窓７３ａが設けられ、背面パネル７４にはそれと対応する位置に同じく窓７４ａが設けられている。前面パネル７３の窓７３ａは被支持物Ｃより僅かに小さなサイズである。一方、背面パネル７４の窓７４ａは被支持物Ｃより僅かに小さいサイズで、被支持物Ｃの底部左右に斜め方向に掛かるように下部がＶ字状に突き出た形状をしており、そのＶ字の下端から背面パネル７４の下辺に向かう切断線αと、Ｖ字の上端付近の２箇所からそれぞれ背面パネル７４の下辺に向かう折り曲げ罫線ａと、それらの折り曲げ罫線ａの下端同士を繋いで背面パネル７４の下辺に設けられた切断線βとにより、観音開きが可能な一対の脚部７１が区画されている。そして、それらの脚部７１は、被支持物Ｃを保持した箱状の台紙７０を斜め後に傾けて自立させるため、図示のように切断線βをヘの字状とすることで、それらの下辺が先端に向けて上がるようにテーパーの付いた形になっている。
【００５９】
図２３，２４のスタンド機構を組み立てる手順は次のようである。まず、糊付け片７７を前面パネル７３の端部裏側に貼り合わせるように台紙７０を縦方向に折り曲げてサック貼りする。次に、このサック貼りした台紙７０を角筒状に起こし、下部を閉じてから被支持物Ｃを上方から挿入した後、上部を閉じるようにする。
【００６０】
具体的には、下側の折り込みフラップ８５，８７をそれぞれ内向きに折り曲げてから、下蓋パネル７８を折り曲げて差し込みフラップ７９を背面パネル７４の裏側に差し込んで蓋をし、さらに、カバーパネル８２を折り曲げて差し込み片８３を前面パネル７３の下側にあるスリットｓに差し込んで係止することで底部を閉鎖する。次に、底部を閉鎖した台紙７０の上部から被支持物Ｃを挿入する。すると、被支持物Ｃは前面パネル７３の窓７３ａと背面パネル７４の窓７４ａに嵌まり込んで保持される。このとき、被支持物Ｃの下部が前面パネル７３の窓７３ａの下縁に当たるとともに、その反対側では背面パネル７４の窓７４ａの下方にある一対の脚部７１を押すことになる。これによって背面パネル７３の下部で脚部７１が開いて起き上がり、左右の脚部７１はそれらの内面がそれぞれ被支持物Ｃの側部に当たり、戻りが防止されて被支持物Ｃに支えられた状態になる。
【００６１】
次いで、上側の折り込みフラップ８４，８６をそれぞれ内向きに折り曲げてから、上蓋パネル８０を折り曲げて差し込みフラップ８１を前面パネル７３の裏側に差し込んで蓋をすることで上部を閉鎖する。
【００６２】
このように組み立てたスタンド機構は、箱状の台紙７０の下部が静置面に接する部分となり、台紙７０を支える一対の脚部７１は台紙７０の後側に突出してその下端縁が静置面に接する部分となる。そして、各脚部７１はそれぞれ被支持物Ｃに当たって支えられた状態となり、ぐらつくことなく安定する。このスタンド機構では、箱状の台紙７０であっても優れた自立性を持たせることができる。また、被支持物Ｃを挿入するだけで自立状態にできるので、組み立てる際の作業性に優れている。
【００６３】
以上、本発明の実施形態について数種類を挙げて詳細に説明してきたが、本発明によるスタンド機構は、上記の実施形態に何ら限定されるものではなく、本発明の趣旨を逸脱しない範囲において種々の変更が可能であることは当然のことである。
【００６４】
例えば、前面に被支持物を保持するため、台紙の前面に粘着剤あるいは両面テープなどからなる貼着部を設ける代わりに、折り畳まれた状態の熱収縮性フィルム（シュリンクフィルム）を台紙の前面に取り付けておき、このシュリンクフィルムに被支持物を入れて熱で収縮させることで、台紙に被支持物を保持させるようにすることができる。
【符号の説明】
【００６５】
１０  台紙
１１  脚部
１２  吊り下げ孔
１３  脚部形成材
１４  切り欠き部
１５  貼着部
１６  固定部分
１７  カット部
２０  台紙
２１  脚部
２２  吊り下げ孔
２３  脚部形成部分
２４  貼着部
２５  折り返し部分
３０  台紙
３１  脚部
３２  吊り下げ孔
３３  貼着部
４０  台紙
４１  脚部
４２  吊り下げ孔
４３  脚部形成部
４４  凸型部分
４５  貼着部
５０  台紙
５０ａ  開口
５１  脚部
５１ａ  凸部領域
５２  吊り下げ孔
５３  脚部形成部
５４  折り返し部分
５５  貼着部
６０  台紙
６０ａ  窓
６１  脚部
６２  吊り下げ孔
６３  フィルム
６４  前面パネル
６４ａ，６４ｂ  接着部
６５  背面パネル
６６  糊付け片
６６ａ  接着部
６７  差し込み片
７０  台紙
７１  脚部
７２  吊り下げ孔
７３  前面パネル
７３ａ  窓
７４  背面パネル
７４ａ  窓
７５，７６  側面パネル
７７  糊付け片
７８  下蓋パネル
７９  差し込みフラップ
８０  上蓋パネル
８１  差し込みフラップ
８２  カバーパネル
８３  差し込み片
８４，８５，８６，８７  折り込みフラップ
Ａ，Ｂ，Ｃ  被支持物
ａ〜ｃ  折り曲げ罫線
ｓ  スリット
α，β  切断線
【図１】
2019055824.tif 000003
【図２】
2019055824.tif 000004
【図３】
2019055824.tif 000005
【図４】
2019055824.tif 000006
【図５】
2019055824.tif 000007
【図６】
2019055824.tif 000008
【図７】
2019055824.tif 000009
【図８】
2019055824.tif 000010
【図９】
2019055824.tif 000011
【図１０】
2019055824.tif 000012
【図１１】
2019055824.tif 000013
【図１２】
2019055824.tif 000014
【図１３】
2019055824.tif 000015
【図１４】
2019055824.tif 000016
【図１５】
2019055824.tif 000017
【図１６】
2019055824.tif 000018
【図１７】
2019055824.tif 000019
【図１８】
2019055824.tif 000020
【図１９】
2019055824.tif 000021
【図２０】
2019055824.tif 000022
【図２１】
2019055824.tif 000023
【図２２】
2019055824.tif 000024
【図２３】
2019055824.tif 000025
【図２４】
2019055824.tif 000026
【図２５】
2019055824.tif 000027